(57)【要約】【課題】  液晶プロジェクタの複数の基板ユニットを繋ぐハーネスからの電磁妨害波を低減する。【解決手段】  それぞれがシールドケースにより覆われた複数の基板ユニットと、複数の基板ユニットの間をつなぐハーネスと、それぞれのシールドケースのグランドを接続するグランド接続板金と、ハーネスをグランド接続板金に押し当てる弾性部材とを有することを特徴とする画像投射装置。【選択図】  図１
2009288662.tif 000002
【特許請求の範囲】
【請求項１】
それぞれがシールドケースにより覆われた複数の基板ユニットと、該複数の基板ユニットの間をつなぐハーネスと、それぞれのシールドケースのグランドを接続するグランド接続板金と、前記ハーネスを前記グランド接続板金に押し当てる弾性部材とを有することを特徴とする画像投射装置。
【請求項２】
前記グランド接続板金は、前記ハーネスよりも画像投射装置の外側に配置されており、前記ハーネスおよび前記基板ユニットに対するシールド作用を持つことを特徴とする請求項１に記載の画像投射装置。
【請求項３】
前記ハーネスはフェライトコアを備えており、前記弾性部材は前記フェライトコアを前記グランド接続板金に押し当てることを特徴とする請求項１または２に記載の画像投射装置。
【請求項４】
前記ハーネスを覆うシールドケースを有し、該シールドケースの一部に前記弾性部材が形成されていることを特徴とする請求項１乃至３のいずれか１項に記載の画像投射装置。
【発明の詳細な説明】
【技術分野】
【０００１】
本発明は、液晶パネル等の画像変調素子を用いた画像投射装置に関し、特に画像投射装置における電磁波ノイズの低減に関する。
【背景技術】
【０００２】
近年、液晶プロジェクタを含む電気電子機器に対して高速デジタル技術が導入され、電気回路にスイッチング電源や発振回路等の高周波回路が次々に採用されているが、このような高周波回路は電磁妨害波の発生源となることがある。特に、ＬＶＤＳのような差動信号を用いた高周波回路においては、矩形信号に発生したノイズ信号によってグランドラインに１００ＭＨｚから１ＧＨｚ程度のコモンモードノイズが発生しやすい。また、基板上のＩＣや基板上のパターンから直接放射される同様の周波数レベルの直接放射ノイズも発生する。これらのノイズはシールドケースの隙間から放射したり、シールドから出るケーブルに乗り移り機器外に放出されることがある。この電磁妨害波が他の電気電子機器に干渉すると、他の電気電子機器が誤動作を起こす原因となってしまう。
【０００３】
特許文献１は、コモンモードノイズを簡単な外付け部材により抑制する構成を開示している。
【特許文献１】特開２００８−１０７９６
【発明の開示】
【発明が解決しようとする課題】
【０００４】
電磁妨害波の影響を低減するためには、電磁妨害波が発生しないようなＩＣを選定したり、回路構成を工夫する必要がある。さらに回路で発生したノイズを画像投射装置外部へ放出しないようにするためには、基板本体を金属製のシールドケースで覆うのが効果的である。一方、液晶プロジェクタにおいて電気基板はユーザの操作性を考えたインターフェイスのレイアウトや、光学系のレイアウトの自由度を増すために、画像投射装置内の各所に分けられ設置されている。特に、液晶プロジェクタにおいては、電気基板が複数の基板ユニットで構成され、複数の基板ユニットの間に光学系が配置されることが多い。各基板ユニットはそれぞれシールドケースで覆われる必要がある。また、各基板ユニット同士は制御信号を送信するためのハーネス、および電源基板から電源を供給するハーネスの両者を配置する必要がある。これらのハーネスに基板からの高周波ノイズが乗り、ハーネスがアンテナの役割をして、そのまま画像投射装置外部に放出されてしまうことを防ぐ必要があった。
【課題を解決するための手段】
【０００５】
本発明の画像投射装置は、それぞれがシールドケースにより覆われた複数の基板ユニットと、複数の基板ユニットの間をつなぐハーネスと、それぞれのシールドケースのグランドを接続するグランド接続板金とを有する。ここで、ハーネスをグランド接続板金に押し当てる弾性部材を有することを特徴とする。
【発明の効果】
【０００６】
本発明によれば、電磁妨害波が低減された液晶プロジェクタを提供することができる。
【発明を実施するための最良の形態】
【０００７】
以下に、本発明の実施の形態を添付の図面に基づいて詳細に説明する。
【実施例１】
【０００８】
図３に、本発明の画像投射装置を示す。図２は、本発明の画像投射装置の光学エンジン部６の内部を示している。１は光源ランプ、２はランプ１を保持するランプホルダー、３は防爆ガラス、４はガラス押さえ、６αはランプ１からの光を入射する照明光学系、６βは照明光学系からの出射光を入射するＲＧＢの３色用の液晶パネルを備えた色分解合成光学系である。５は色分解合成光学系からの出射光を入射して図示せぬスクリーン（被投射面）に画像を投射する投射レンズ鏡筒であり、投射レンズ鏡筒５内には後述する投射レンズ光学系を収納している。６はランプ１、照明光学系α、色分解合成光学系βを収納するとともに投射レンズ５が固定される光学ボックスである。図３において８は電源、１０はランプ１を点灯する為のバラスト電源である。電源８およびバラスト電源１０は例えばアルミニウムでできたシールドケース９に囲われている。１４は電気排気ファンであり、電源８およびバラスト基板１０で生じた熱を排気している。一方、液晶パネルを駆動するＲＧＢ基板１１ｃ、信号の入出力を行うインターフェイス基板１１ｂ、映像信号処理およびランプ１の点灯を制御する為のメイン基板１１ａはプロジェクタの外形を最小にするため縦置きされ、シールドケース１６により囲われている。さらに、電源基板８およびバラスト電源基板１０はメイン基板により制御されている。このように、双方の信号をやり取りするために、制御ハーネス１８ａ、電源ハーネス１８ｂを有している。１２は色分解合成光学系β内の液晶パネル等の光学素子を冷却する為の光学系用の吸い込み冷却ファンである。
【０００９】
１７はランプ１に対して吹き付け風を送り、ランプ１を冷却する為の光源ランプ用の冷却ファン冷却風をランプに送るためのランプダクトを示している。１５は排気ファンであり、排気ファン１８はランプ冷却ファン１４によるランプ１を通過した後の熱風を排出する。
【００１０】
次に、前述したランプ１、照明光学系６α、色分解合成光学系６β、投射レンズ５にて構成される反射型液晶表示素子（反射型液晶パネル等の画像形成素子）を搭載した画像投射装置の光学構成について図２にて説明する。
【００１１】
図２において、４１は連続スペクトルで白色光を発光する発光管、４２は発光管４１からの光を所定の方向に集光するリフレクターであり、発光管４１とリフレクター４２によりランプ１を形成する。
４３ａは水平方向（ランプ１からの光の進行方向における水平方向（紙面垂直方向））において屈折力を有するレンズアレイで構成された第１のシリンダアレイである。４３ｂは第１のシリンダアレイ４３ａの個々のレンズに対応したレンズアレイを有する第２のシリンダアレイ、４４は紫外線吸収フィルタ、４５は無偏光光を所定の偏光光に揃える偏光変換素子である。
【００１２】
４６は垂直方向において屈折力を有するシリンドリカルレンズで構成されたフロントコンプレッサ、４７は光軸を８８度変換する為の全反射ミラーである。４３ｃは垂直方向（ランプ１からの光の進行方向における垂直方向（紙面垂直方向））において屈折力を有するレンズアレイで構成された第３のシリンダアレイである。４３ｄは第３のシリンダアレイ４３ｃの個々のレンズに対応したレンズアレイを有する第４のシリンダアレイ、５０は色座標をある値に調整するために特定波長域の色をランプに戻すためのカラーフィルターである。４８はコンデンサーレンズ、４９は垂直方向において屈折力を有するシリンドリカルレンズで構成されたリアコンプレッサである。以上により照明光学系αが構成される。
【００１３】
５８は青（Ｂ）と赤（Ｒ）の波長領域の光を反射し、緑（Ｇ）の波長領域の光を透過するダイクロイックミラーであり、５９は透明基板に偏光素子を貼着したＧ用の入射側偏光板であり、Ｐ偏光光のみを透過する。６０はＰ偏光光を透過し、Ｓ偏光光を反射する第１の偏光ビームスプリッターであり、偏光分離面を有する。
【００１４】
６１Ｒ，６１Ｇ，６１Ｂはそれぞれ入射した光を反射するとともに画像変調する赤用の反射型液晶表示素子、緑用の反射型液晶表示素子、青用の反射型液晶表示素子である。６２Ｒ，６２Ｇ，６２Ｂはそれぞれ、赤用の１／４波長板、緑用の１／４波長板、青用の１／４波長板である。６４ａはＲの色純度を高めるためにオレンジ光をランプに戻すトリミングフィルターで、６４ｂは透明基板に偏光素子を貼着したＲＢ用の入射側偏光板であり、Ｐ偏光のみを透過する。６５はＲの光の偏光方向を９０度変換し、Ｂの光の偏光方向は変換しない色選択性位相差板である。６６はＰ偏光を透過し、Ｓ偏光を反射する第２の偏光ビームスプリッターであり、偏光分離面を有する。
【００１５】
６８ＢはＢ用出射側偏光板（偏光素子）であり、ＢのＳ偏光のみを整流し、６８ＧはＳ偏光のみを透過させるＧ用出側偏光板である。６９はＲＢ光を透過し、Ｇ光を反射するダイクロイックプリズムである。
【００１６】
以上のダイクロイックミラー５８から６９のダイクロイックプリズムにより、色分解合成光学系βが構成される。
【００１７】
ここでＰ偏光とＳ偏光の定義を明確にすると、４５の偏光変換素子では、Ｐ偏光をＳ偏光に変換するが、ここでゆうＰ偏光とＳ偏光は４５の偏光変換素子を基準として述べている。一方５８のダイクロイックミラーに入射する光は６０と６６の偏光ビームスプリッター基準で考えるのでＰ偏光光が入射するものとする。４５の偏光変換素子から射出された光はＳ偏光だが、同じＳ偏光光を５８のダイクロイックミラーに入射する光をＰ偏光光として本実施例では定義するものである。
【００１８】
次に光学的な作用を説明する。
発光管４１から発した光はリフレクター４２により所定の方向に集光される。リフレクター４２は放物面形状を有しており、放物面の焦点位置からの光は放物面の対称軸に平行な光束となる。但し、発光管４１からの光源は理想的な点光源ではなく有限の大きさを有しているので、集光する光束には放物面の対称軸に平行でない光の成分も多く含まれている。これらの光束は、第１のシリンダアレイ４３ａに入射する。第１のシリンダアレイ４３ａに入射した光束はそれぞれのシリンダレンズに応じた複数の光束に分割、集光される（垂直方向に帯状の複数の光束）。さらに紫外線吸収フィルタ４４を介して、第２のシリンダアレイ４３ｂを経て、複数の光束（垂直方向に帯状の複数の光束）を偏光変換素子４５の近傍に形成する。
【００１９】
偏光変換素子４５は、偏光分離面と反射面と１／２波長板とからなり、複数の光束は、その列に対応した偏光分離面に入射し、透過するＰ偏光成分の光と反射するＳ偏光成分の光に分割される。反射されたＳ偏光成分の光は反射面で反射し、Ｐ偏光成分と同じ方向に出射する。一方、透過したＰ偏光成分の光は、１／２波長板を透過してＳ偏光成分と同じ偏光成分に変換され、偏光方向が揃った光として出射する。偏光変換された複数の光束（垂直方向に帯状の複数の光束）は、偏光変換素子４５を出射した後、フロントコンプレッサ４６を介して、反射ミラー４７にて８８度反射する。さらに、第３のシリンダアレイ４３ｃに入射する。第３のシリンダアレイ４３ｃに入射した光束はそれぞれのシリンダレンズに応じた複数の光束に分割、集光される（水平方向に帯状の複数の光束）。第４のシリンダアレイ４３ｄを経て、複数の光束（水平方向に帯状の複数の光束）となり、コンデンサーレンズ４８、リアコンプレッサ４９に至る。
【００２０】
ここで、フロントコンプレッサ４６、コンデンサーレンズ４８、リアコンプレッサ４９の光学的作用の関係で、複数の光束は矩形形状の像が重なった形で矩形の均一な照明エリアが形成されることになる。この照明エリアに後述の反射型液晶表示素子６１Ｒ、６１Ｇ、６１Ｂを配置する。次に、偏光変換素子４５によりＳ偏光とされた光は、ダイクロイックミラー５８に入射する。尚、ダイクロイックミラー５８は、Ｂ（４３０〜４９５ｎｍ）とＲ（５９０〜６５０ｎｍ）の光は反射し、Ｇ（５０５〜５８０ｎｍ）の光は透過する。
【００２１】
次に、Ｇの光路について説明する。
ダイクロイックミラー５８を透過したＧの光は入射側偏光板５９に入射する。尚、Ｇの光はダイクロイックミラー５８によって分解された後もＰ偏光（４５の偏光変換素子基準の場合はＳ偏光）となっている。そしてＧの光は、入射側偏光板５９から出射した後、第１の偏光ビームスプリッター６０に対してＰ偏光として入射して偏光分離面で透過して、Ｇ用の反射型液晶表示素子６１Ｇへと至る。Ｇ用の反射型液晶表示素子６１Ｇにおいては、Ｇの光が画像変調されて反射される。画像変調されたＧの反射光のうちＰ偏光成分は、再び第１の偏光ビームスプリッター６０の偏光分離面で透過して光源側に戻され、投射光から除去される。一方、画像変調されたＧの反射光のうちＳ偏光成分は、第１の偏光ビームスプリッター６０の偏光分離面で反射され、投射光としてダイクロイックプリズム６９に向かう。このとき、すべての偏光成分をＰ偏光に変換した状態（黒を表示した状態）において、第１の偏光ビームスプリッター６０とＧ用の反射型液晶表示素子６１Ｇとの間に設けられた１／４波長板６２Ｇの遅相軸を所定の方向に調整する。これにより、第１の偏光ビームスプリッター６０とＧ用の反射型液晶表示素子６１Ｇで発生する偏光状態の乱れの影響を小さく抑えることができる。第１の偏光ビームスプリッター６０から出射したＧの光は、第３の偏光ビームスプリッター６９に対してＳ偏光として入射し、ダイクロイックプリズム６９のダイクロイック膜面でＧ光を反射して投射レンズ７０へと至る。
【００２２】
一方、ダイクロイックミラー５８を反射したＲとＢの光は、入射側偏光板６４ａに入射する。尚、ＲとＢの光はダイクロイックミラー５８によって分解された後もＰ偏光となっている。そしてＲとＢの光は、トリミングフィルター６４ａでオレンジ光をカットされた後、６４ｂの入射側偏光板から出射し、色選択性位相差板６５に入射する。色選択性位相差板６５は、Ｒの光のみ偏光方向を９０度回転する作用を持っており、これによりＲの光はＳ偏光として、Ｂの光はＰ偏光として第２の偏光ビームスプリッター６６に入射する。Ｓ偏光として第２の偏光ビームスプリッター６６に入射したＲの光は、第２の偏光ビームスプリッター６６の偏光分離面で反射され、Ｒ用の反射型液晶表示素子６１Ｒへと至る。また、Ｐ偏光として第２の偏光ビームスプリッター６６に入射したＢの光は、第２の偏光ビームスプリッター６６の偏光分離面を透過してＢ用の反射型液晶表示素子６１Ｂへと至る。
【００２３】
Ｒ用の反射型液晶表示素子６１Ｒに入射したＲの光は画像変調されて反射される。画像変調されたＲの反射光のうちＳ偏光成分は、再び第２の偏光ビームスプリッター６６の偏光分離面で反射されて光源側に戻され、投射光から除去される。一方、画像変調されたＲの反射光のうちＰ偏光成分は第２の偏光ビームスプリッター６６の偏光分離面を透過して投射光として６９のダイクロイックプリズムに向かう。
【００２４】
また、Ｂ用の反射型液晶表示素子６１Ｂに入射したＢの光は画像変調されて反射される。画像変調されたＢの反射光のうちＰ偏光成分は、再び第２の偏光ビームスプリッター６６の偏光分離面を透過して光源側に戻され、投射光から除去される。一方、画像変調されたＢの反射光のうちＳ偏光成分は第２の偏光ビームスプリッター６６の偏光分離面で反射して投射光として６９のダイクロイックプリズムに向かう。
【００２５】
このとき、第２の偏光ビームスプリッター６６とＲ用，Ｂ用の反射型液晶表示素子６１Ｒ，６１Ｂの間に設けられた１／４波長板６２Ｒ，６２Ｂの遅相軸を調整することにより、Ｇの場合と同じようにＲ，Ｂそれぞれの黒の表示の調整を行うことができる。
【００２６】
こうして１つの光束に合成され、第２の偏光ビームスプリッター６６から出射したＲとＢの投射光のうちＢの光は、出射側偏光板６８Ｂで検光されて６９のダイクロイックプリズムに入射する。また、Ｒの光はＰ偏光のまま６８Ｂの偏光板をそのまま透過し、６９のダイクロイックプリズムに入射する。
【００２７】
尚、出射側偏光板６８Ｂで検光されることにより、Ｂの投射光は第２の偏光ビームスプリッター６６とＢ用の反射型液晶表示素子６１Ｂ、１／４波長板６２Ｂを通ることによって生じた無効な成分をカットされた光となる。
【００２８】
そして、６９のダイクロイックプリズムに入射したＲとＢの投射光は６９のダイクロイックプリズムのダイクロイック膜面を透過し、前述した該ダイクロイック膜面にて反射したＧの光と合成されて投射レンズ５に至る。
【００２９】
そして、合成されたＲ，Ｇ，Ｂの投射光は、投射レンズ５によってスクリーンなどの被投射面に拡大投影される。
【００３０】
以上説明した光路は反射型液晶表示素子が白表示の場合である為、以下に反射型液晶表示素子が黒表示の場合での光路を説明する。
【００３１】
まず、Ｇの光路について説明する。
【００３２】
ダイクロイックミラー５８を透過したＧの光のＰ偏光光は入射側偏光板５９に入射し、その後、第１の偏光ビームスプリッター６０に入射して偏光分離面で透過され、Ｇ用の反射型液晶表示素子６１Ｇへと至る。しかし、反射型液晶表示素子６１Ｇが黒表示の為、Ｇの光は画像変調されないまま反射される。従って、反射型液晶表示素子６１Ｇで反射された後もＧの光はＰ偏光光のままである為、再び第１の偏光ビームスプリッター６０の偏光分離面で透過し、入射側偏光板５９を透過して光源側に戻され、投射光から除去される。
【００３３】
次に、ＲとＢの光路について説明する。
ダイクロイックミラー５８を反射したＲとＢの光のＰ偏光光は、入射側偏光板６４ｂに入射する。そしてＲとＢの光は、入射側偏光板６４ｂから出射した後、色選択性位相差板６５に入射する。色選択性位相差板６５は、Ｒの光のみ偏光方向を９０度回転する作用を持っており、これによりＲの光はＳ偏光として、Ｂの光はＰ偏光として第２の偏光ビームスプリッター６６に入射する。Ｓ偏光として第２の偏光ビームスプリッター６６に入射したＲの光は、第２の偏光ビームスプリッター６６の偏光分離面で反射され、Ｒ用の反射型液晶表示素子６１Ｒへと至る。また、Ｐ偏光として第２の偏光ビームスプリッター６６に入射したＢの光は、第２の偏光ビームスプリッター６６の偏光分離面を透過してＢ用の反射型液晶表示素子６１Ｂへと至る。ここでＲ用の反射型液晶表示素子６１Ｒは黒表示の為、Ｒ用の反射型液晶表示素子６１Ｒに入射したＲの光は画像変調されないまま反射される。従って、Ｒ用の反射型液晶表示素子６１Ｒで反射された後もＲの光はＳ偏光光のままである為、再び第１の偏光ビームスプリッター６０の偏光分離面で反射し、入射側偏光板６４ｂを通過して光源側に戻され、投射光から除去される為、黒表示となる。一方、Ｂ用の反射型液晶表示素子６１Ｂに入射したＢの光はＢ用の反射型液晶表示素子６１Ｂが黒表示の為、画像変調されないまま反射される。従って、Ｂ用の反射型液晶表示素子６１Ｂで反射された後もＢの光はＰ偏光光のままである為、再び第１の偏光ビームスプリッター６０の偏光分離面を透過する。色選択性位相差板６５により、Ｐ偏光に変換され、入射側偏光板６４ｂを透過して光源側に戻されて投射光から除去される。
【００３４】
以上が、反射型液晶表示素子（反射型液晶パネル）を使用した画像投射装置での光学構成である。
【００３５】
次に本発明における液晶プロジェクタの電磁波ノイズ除去の方法について説明する。
図１に、電源基板ケース（シールドケース）９とメイン基板ケース（シールドケース）１６をつなぐグランド接続板金１９の構成を示す。図中で光学エンジン６は省略している。
【００３６】
一般に、信号発生源より流れ出た電流により発生した電磁波は、最終的にはグランドを通って戻ってくることから、グランド接続板金１９は図１に示すように、なるべく表面積が大きいことが好ましい。また、グランドを安定させるため、グランド接続板金はＡＣ電源ラインのグランドに直結している。
【００３７】
図１の構成は、ハーネス１８が液晶プロジェクタの上部に配置される構成であるため、グランド接続板金１９を液晶プロジェクタの上部に配置したが、いずれも液晶プロジェクタの下部に配置されても良い。また、上部と下部に複数配置しても良い。ただし、上部と下部に配置する場合にはグランドループが生じないようにグランドの配線に注意する必要がある。グランドループを形成してしまった場合にはそのループからコモンモードノイズが発生してしまうためである。
【００３８】
グランド接続板金１９を液晶プロジェクタの上部に構成した場合、グランド接続板金１９は液晶プロジェクタ全体のシールドケースの役割を兼ねており、シールド作用を持つ。したがって、信号線（ハーネス）１８はグランド接続板金１９の内側に配置されること、すなわち、グランド接続板金１９がハーネスの外側に配置されることが好ましい。また、グランドが確実に結合されていないと、グランド間に電位差が生じ、ノイズ電流が流れやすくなる。このため、例えばビス止めの箇所を増やしてビス止め間の間隔を狭くすることで、グランド接続板金１９と電源基板ケース９とメイン基板ケース１６の間の隙間がスリットアンテナとならないよう工夫する必要がある。特に、グランド接続板金１９と制御ハーネス１８ａ、電源ハーネス１８ｂの距離を短く設定することが重要である。
【００３９】
図４に画像投射装置の側面図を示す。制御ハーネス１８ａ、電源ハーネス１８ｂは、グランド接続板金１９の内側に沿って配置されている。ＲＧＢ基板１１ｃには光学エンジン６に搭載されている液晶パネル６１Ｒ、６１Ｂ、６１Ｇからのフレキシブル基板が装着されている。これらの基板には電源基板８から電力が供給される。図１のメイン基板１１ａ、インターフェイス基板１１ｂ、ＲＧＢ基板１１ｃにより構成される基板ユニットで発生した高周波ノイズが制御ハーネス１８ａ、電源ハーネス１８ｂに移る。さらに、制御ハーネス１８ａ、電源ハーネス１８ｂがアンテナとなって電磁波ノイズが機器外に放出される可能性がある。そこで光学エンジン６の上部に配置されている弾性部材２０によって、制御ハーネス１８ａ、電源ハーネス１８ｂをグランド接続板金１９に押し当てる構成としている。
【００４０】
図５にハーネス１８の周辺部の詳細図を示す。スポンジ等の弾性体２０ａを導電布２０ｂで包んだガスケットが光学エンジン６の上部に貼り付けられており、制御ハーネス１８ａ、電源ハーネス１８ｂの順でグランド接続板金１９に押し当てられている。これは、メイン基板１１ａ上のＩＣより生じる高周波のノイズがより制御ハーネス１８ａに乗りやすい傾向にあることに起因している。ハーネス１８は芯線２１の周りに樹脂製の絶縁体２２が被覆されており、グランド接続板金１９に押し当てられることにより、図５の右側に示すような等価回路となる。ハーネスの絶縁体２２がコンデンサの役割をし、ローパスフィルタを形成する。したがって、ケーブルにのっている１００ＭＨｚ〜１ＧＨｚの範囲の高周波のノイズ電流はハーネス１８からグランド接続板金１９に流れるようになる。
【００４１】
このような構成により、ハーネス１８にのった高周波ノイズを数ｄＢ単位で低減することができる。弾性部材としてガスケットを用いた例を説明したが、例えばバネ、スボンジ、モールド部材を用いてハーネス１８をグランド接続板金１９に押し当ててもよい。さらに、グランド接続板金１９がアンテナとなってしまう場合には、以下の手段によってアンテナ成分を除去することができる。図３の１９ａに示す長さがメイン基板のＩＣの基本クロック周波数の波長の整数倍に一致していると、板金１９上にスリット穴１９ｂを複数設け、１９ａの長さを実質的に短くすることができる。これによってできる板金長さ１９ｃ、１９ｄが波長の整数倍にならないように構成する。これによりグランド接続板金が高周波ノイズを放出するアンテナにならないように構成することができる。
【実施例２】
【００４２】
実施例１は、ガスケット、バネ、スボンジ、モールド部材等の弾性部材を用いてグランド接続板金１９に制御ハーネス１８ａ、電源ハーネス１８ｂを押し当てる構成を説明した。図６にハーネスの側面図を示す。図６の構成では実施例１の構成に加えてハーネスに１０００〜３００ＭＨｚ程度の周波数に効果のあるフェライトコア２３を装着することを特徴とする。ハーネス１８とハーネス１８に取り付けられたフェライトコア２３を共にグランド接続板金１９に押し当てる弾性部材２４を有する。これにより、ハーネス１８にのる高周波ノイズをより確実に除去することができる。
【実施例３】
【００４３】
実施例１、２においてはグランド接続板金１９に制御ハーネス１８ａ、電源ハーネス１８ｂを弾性部材で押し当てる構成を示したが、ハーネス１８の表面はグランド接続板金１９で覆われるのみであった。更に確実にノイズを除去するためにはハーネス１８自体をシールド板金２５で覆うのが良い。そして、ハーネス１８を囲むシールド板金２５の一部を例えば板バネで構成し、板バネによってハーネス１８をグランド接続板金１９に押し当てることで、シールド効果とコンデンサ効果の２つの効果を同時に得ることができる。
【００４４】
なお、本発明の実施例は反射型の液晶表示装置について述べているが、透過型の液晶表示装置であっても良い。
【００４５】
以上、本発明の好ましい実施例について説明したが、本発明はこれらの実施例に限定されないことはいうまでもなく、その要旨の範囲内で種々の変形及び変更が可能である。
【図面の簡単な説明】
【００４６】
【図１】本発明の実施例１を示す斜視図
【図２】本発明の実施例１の光学系を示す上面図と側面図
【図３】本発明の実施例１を示す上面図
【図４】本発明の実施例１を示す側面図
【図５】本発明の実施例１を示す断面図
【図６】本発明の実施例２を示す断面図
【図７】本発明の実施例３を示す断面図
【符号の説明】
【００４７】
１  光源ランプ
２  ランプホルダー
３  防爆ガラス
４  ガラス押さえ
５  投射レンズ
６  光学ボックス
８  電源
９  シールドケース
１０  バラスト電源
１１  回路基板
１２    光学冷却ファン
１３  ＲＧＢダクト
１４  電源排気ファン
１５  ランプ排気ファン
１６  シールドケース
１７  ランプ冷却ファンおよびダクト
１８  ハーネス
１９  グランド接続板金
２０  ガスケット
２１  芯線
２２  絶縁体
２３  フェライトコア
２４  弾性部材
２５  弾性シールド部材
４１  ランプ発光管（光源）
４２  リフレクター
【図１】
2009288662.tif 000003
【図２】
2009288662.tif 000004
【図３】
2009288662.tif 000005
【図４】
2009288662.tif 000006
【図５】
2009288662.tif 000007
【図６】
2009288662.tif 000008
【図７】
2009288662.tif 000009